(57)【特許請求の範囲】
【請求項１】
基材とシーラント層を少なくとも有する１枚の積層体が、シーラント層を内側にして折
り曲がっており、該折り曲がっている折り曲げ部と本体表面積層体と本体裏面積層体となっており、
基材とシーラント層を少なくとも有する１枚の積層体が、シーラント層を外側にして折り曲がって底テープとなっていて、前記本体表面積層体と本体裏面積層体の間に挿入された状態で、周縁をシールされているスタンディングパウチ形状の詰替え容器であって、
前記折り曲げ部は、前記表面積層体および裏面積層体および注出ノズルシール部と共に、内容物を注ぎ出すための斜め上方を向く注出ノズルを形成しており、
該注出ノズルの先端は注出ノズル先端シール部によってシールされており、前記注出ノズルシール部に設けられた開封用切目線によって分離形成された開封つまみを持って開封予定線に沿って切り離すことにより注出口を形成するものであり、
前記開封予定線は、前記折曲部に対して傾斜しており、
前記本体表面積層体上および本体裏面積層体上の開封予定線上には、それぞれの開封予定線に平行な複数の傷線からなる易カット加工が施されており、
前記本体表裏面積層体に施された複数の傷線の先端同士を結ぶ１本のハーフカット線が、前記折り曲げ部の稜線に沿って形成されていることを特徴とする詰替え容器。
【請求項２】
前記折り曲げ部の稜線に沿って形成されたハーフカット線は、前記注出ノズル先端シール部を避けて形成されていることを特徴とする請求項１に記載の詰替え容器。
【請求項３】
前記開封用切目線の先端部は、前記開封予定線と平行な方向に向かって折れ曲がっていることを特徴とする請求項１または２に記載の詰替え容器。
【請求項４】
前記注出用ノズルを形成する本体表面積層体および本体裏面積層体の相対する位置に、注出用ノズルの経路に平行して、外側に膨らんだ細長の凸状部を複数個有していることを特徴とする請求項１〜３のいずれか１項に記載の詰替え容器。
【請求項５】
前記折り曲げ部の一部が切り開かれ、内容物充填用開口部となっていることを特徴とする請求項１〜４のいずれか１項に記載の詰替え容器。
【発明の詳細な説明】
【技術分野】
【０００１】
本発明は、液体洗剤、柔軟剤などのトイレタリー用品や、食用油、インスタントコーヒーなどの食品等を収納する詰め替え容器に関する。
【背景技術】
【０００２】
液体洗剤や柔軟仕上げ剤などのトイレタリー用品や、食用油、インスタントコーヒーなどの食品は、それぞれ使いやすいような形状の専用容器に収納されている。専用容器は、構造もしっかりしており、従って高価であることから、内容物が無くなった段階で、繰り返し使用することができるように、内容物のみを詰替える詰替え容器入りの製品が別途販売されていることが多い。
【０００３】
例えば液体洗剤の容器は、洗剤を使用する時にその都度適切な量を計量して取り出す必要があるため、軽量カップに注ぎやすいように、注出口にノズルを備えた剛性のあるプラスチック容器が、繰り返し使用容器として用いられている。この容器に対して、内容物を補充するための詰め替え用の容器としては、軟包装フィルムからなる柔軟な容器に、注出口を形成した容器や、口栓を取付けた容器が一般的に使用されている。
【０００４】
繰り返し使用する剛性の容器は、もっぱら注出し易いように設計されているため、繰り返し使用する容器に対して、詰替え容器から内容物を補充する詰替え操作の利便性を考慮したものでは、必ずしもなかった。
【０００５】
また一方、詰替え容器も、もっぱら安価に製造することに重点を置くあまり、必ずしも詰替え操作の利便性を考慮したものではなかった。
【０００６】
繰り返し使用する容器に設けられたノズルを利用して、詰替え容器の開封を行うことができ、さらに詰替え中に、詰替え容器が自立するために、手で保持しなくてもよい詰替え容器が提案されている。この手放し詰め替え容器は、繰り返し使用する容器の開口部に着脱可能かつ脱落不能に連結される結合部材と、詰め替え容器本体を密封する容器密封部材とを備えた詰め替え容器である（特許文献１参照）。
【０００７】
特許文献１に記載された詰め替え容器は、繰り返し使用する容器と詰め替え容器を結合するために、口栓部に、結合部材と容器密封部材という２つの部材を用いているため、容器のコストが高いものとならざるを得ない。また詰め替え容器を、繰り返し使用する容器の開口部にねじ込んで使用する構造であるため、両者の結合は確実であるが、反面、操作が面倒であるばかりでなく、口栓のコスト面においても不利であるという欠点があった。
【０００８】
コストの面からは、図５に示したような表裏２枚の包装フィルムの周縁をシールしてなる包装袋が有利である。この詰替え用包装袋は、容器の口径に見合った任意の巾の注出口を設けることができるが、表裏２枚のフィルムの端縁部をシールして注出口部を形成した場合、内容物を注出する際、開口部がシールされた両端に引張られ、表裏のフィルムが疑似密着状態となり、注出口が閉塞してしまうという問題や、注出口が折れ曲がり易く、詰替え操作中に注出口が繰り返し使用する容器から外れてしまうといった問題がある。
【０００９】
この注出口が閉塞したり、折れ曲がったりする問題を解決するために、注出口部にフィルムとは別部材のパーツを挿入したり（特許文献２参照）、注出口部付近のフィルムを膨らませて立体形状とすることで、開口面積を確保したりするものが多く提案されている（特許文献３参照）。
【００１０】
しかしこれらの包装袋は、別部材を取り付ける工程や、フィルムに深いエンボス加工を施す工程などが増加するという問題の他、充填時に包装袋の供給部において包装袋を整然と積み上げて揃えることができないという問題や、表裏２枚のフィルムをシールしてなる注出口は、両端にシール部が存在するため、その分だけ開口巾が狭くなり、十分な開口面積を確保することができないという基本的な問題があった。十分な開口面積が確保できないと、詰替え時の注出に要する時間は長くなってしまう。
【００１１】
この問題を解決するために、包装袋を構成するフィルムを折り曲げて、注出口の片側を形成し、注出口のシール部を片側だけとする包装袋が提案されている（特許文献４、５参照）。
【先行技術文献】
【特許文献】
【００１２】
【特許文献１】特開2004-99082号公報
【特許文献２】特開平5-132069号公報
【特許文献３】特許第4110940号
【特許文献４】特開平11-236053号公報
【特許文献５】特開2008-18991号公報
【発明の概要】
【発明が解決しようとする課題】
【００１３】
特許文献４、５に示されたような、注出口の片側が折り曲げられたフィルムで構成されている包装袋の場合、注出口が閉塞する問題や、注出口部の開口面積が不足するという問題は解消されるが、特許文献５に示された軟質包装袋の注出口に見られるように、注出時の操作のし易さを考慮して注出口を斜めに設定した場合、開封操作性が不安定になるという問題が生じることが判明した。
【００１４】
図６（１）は、特許文献５に開示された軟質包装袋を示した図であり、図６（２）は、注出口部分の拡大図である。出願人の出願になるこの軟質包装袋は、注出口部分に、切れ目線ａとＶ字状の切欠きｂと切れ目線ａを覆うように設けられた網点状の傷加工ｃを備えているにも拘わらず、Ｖ字状の切欠きｂの位置が多少ずれたような場合には、包装袋の裂け目が切れ目線ａから外れてしまい、本来の切れ目線ａの位置で開封できないという問題が生じる可能性があることが分かった。
【００１５】
そこでこの問題を解決するために、出願人は特許願２０１０−１３３８５９号において、注出口を形成する開封予定線上に、開封予定線に平行な複数の傷線からなる易カット加工を施し、さらに開封用切目線の先端部を、開封予定線と平行な方向に向かって曲げることにより、開封性の安定化を図った。
【００１６】
しかし、この手段によっても、実際の生産においては、ごくまれに表裏面の易カット加工の傷線の位置と表裏面の積層体の折り曲げ位置とが位置ずれを生じると、注出ノズル先端部をうまく切り取ることができない場合が生じることが判明したのである。
【００１７】
本発明の解決しようとする課題は、１枚の積層体を折り曲げて注出ノズル部を形成し、口栓等の別部材を使用することなく、大面積の注出口が形成できる詰替え容器において、折り曲げ部の位置がずれにくく、万一ずれた場合であっても、注出口の開封操作が容易かつ確実にできる詰替え容器を提案するものである。
【課題を解決するための手段】
【００１８】
上記の課題を解決するための手段として、請求項１に記載の発明は、基材とシーラント層を少なくとも有する１枚の積層体が、シーラント層を内側にして折り曲がっており、該折り曲がっている折り曲げ部と本体表面積層体と本体裏面積層体となっており、基材とシーラント層を少なくとも有する１枚の積層体が、シーラント層を外側にして折り曲がって底テープとなっていて、前記本体表面積層体と本体裏面積層体の間に挿入された状態で、周縁をシールされているスタンディングパウチ形状の詰替え容器であって、前記折り曲げ部は、前記表面積層体および裏面積層体および注出ノズルシール部と共に、内容物を注ぎ出すための斜め上方を向く注出ノズルを形成しており、該注出ノズルの先端は注出ノズル先端シール部によってシールされており、前記注出ノズルシール部に設けられた開封用切目線によって分離形成された開封つまみを持って開封予定線に沿って切り離すことにより注出口を形成するものであり、前記開封予定線は、前記折曲部に対して傾斜しており、前記本体表面積層体上および本体裏面積層体上の開封予定線上には、それぞれの開封予定線に平行な複数の傷線からなる易カット加工が施されており、前記本体表裏面積層体に施された複数の傷線の先端同士を結ぶ１本のハーフカット線が、前記折り曲げ部の稜線に沿って形成されていることを特徴とする詰替え容器である。
【００１９】
本発明に係る詰替え容器は、注出口を形成すべき開封予定線に平行する複数の傷線からなる易カット加工を有し、この複数の傷線の先端同士を結ぶ１本のハーフカット線を設けたので、折り曲げ部を形成する際に、このハーフカット線が折り曲げ位置を誘導するため本来の正確な位置に折り曲げ部が形成される。
【００２０】
また万一折り曲げ位置がずれた場合であっても、このハーフカット線が開封時の切れ目を誘導するため、確実に注出口が形成される。
【００２１】
また、請求項２に記載の発明は、前記折り曲げ部の稜線に沿って形成されたハーフカット線が、前記注出ノズル先端シール部を避けて形成されていることを特徴とする請求項１に記載の詰替え容器である。
【００２２】
また、請求項３に記載の発明は、前記開封用切目線の先端部が、前記開封予定線と平行な方向に向かって折れ曲がっていることを特徴とする請求項１または２に記載の詰替え容器である。
【００２３】
また、請求項４に記載の発明は、前記注出用ノズルを形成する本体表面積層体および本体裏面積層体の相対する位置に、注出用ノズルの経路に平行して、外側に膨らんだ細長の凸状部を複数個有していることを特徴とする請求項１〜３のいずれか１項に記載の詰替え容器である。
【００２４】
また、請求項５に記載の発明は、前記折り曲げ部の一部が切り開かれ、内容物充填用開口部となっていることを特徴とする請求項１〜４のいずれか１項に記載の詰替え容器である。
【発明の効果】
【００２５】
本発明に係る詰替え容器は、基材とシーラント層を少なくとも有する１枚の積層体を、シーラント層を内側にして折り曲げて、折り曲げ部と本体表面積層体と本体裏面積層体を形成し、周縁をシールしてなる詰替え容器であるから、プラスチックボトルや、プラスチック製の口栓を使用した容器などと異なり、軟包装用積層体のみから製造することができるため、安価に製造することができる。
【００２６】
また、本発明に係る詰替え容器は、１枚の積層体を、シーラント層を内側にして折り曲げて、折り曲げ部を形成し、該折り曲げ部は、前記表面積層体および裏面積層体および注出ノズルシール部と共に、内容物を注ぎ出すための注出ノズルを形成したので、大面積の
注出口を安定して確保することが可能となり、その結果円滑かつ迅速な詰め替え操作が可能となった。
【００２７】
また、基材とシーラント層を少なくとも有する１枚の積層体を、シーラント層を外側にして折り曲げて底テープとし、本体表面積層体と本体裏面積層体の間に挿入して周縁をシールしてなるスタンディングパウチ形状としたので、自立性を有する大容量の詰替え容器とすることが可能となり、本発明の特徴を十分に生かせるものとなる。
【００２８】
また、本発明に係る詰替え容器は、注出口を形成する開封予定線が、前記折曲部に対して傾斜しているため、容器を傾けて内容液を注出する際の操作性が良い。
【００２９】
また、開封予定線上には、開封予定線に平行な複数の傷線からなる易カット加工が施されているため、開封つまみを引き上げると、積層体の裂け目が自然に開封予定線に沿って進み、所定の位置に注出口を形成することが容易に可能である。
【００３０】
また本発明に係る詰替え容器は、本体表裏面積層体に施された複数の傷線の先端同士を結ぶ１本のハーフカット線を、折り曲げ部の稜線に沿って形成したので、折り曲げ部を形成する際に、このハーフカット線が折り曲げ位置を誘導するため本来の正確な位置に折り曲げ部が形成されるという効果がある。
【００３１】
また万一折り曲げ位置がずれた場合であっても、このハーフカット線が開封時の切れ目を誘導するため、確実に注出口が形成されるという効果をも有する。
【００３２】
請求項２に記載の発明においては、前記折り曲げ部の稜線に沿って形成されたハーフカット線が、注出ノズル先端シール部を避けて形成されているため、注出ノズル先端シール部を形成する際に、シール部の積層体が割れて内層であるシーラント層がはみ出して糸を引くといった障害を防止することができる。
【００３３】
請求項３に記載の発明においては、開封用切目線の先端部が、開封予定線と平行な方向に向かって折れ曲がっているため、開封時の切れ目がより確実に開封予定線に沿って進行するという効果がある。
【００３４】
請求項４に記載の発明においては、注出用ノズルを形成する本体表面積層体および本体裏面積層体の相対する位置に、注出用ノズルの経路に平行して、外側に膨らんだ細長の凸状部を複数個設けたので、内容物を注出する際、表裏面の積層体が付着しにくくなるため、注出流路が閉塞したり、また注出ノズルが折れ曲ったりする問題が生じにくくなる。
【００３５】
請求項５に記載の発明においては、前記折り曲げ部の一部を切り開き、内容物充填用開口部としたので、他のシール部分を充填用開口部とすることができないような形状の容器であっても、安定した充填操作が可能となる。
【００３６】
本発明に係る詰替え容器は、ノズルキャップを有する繰り返し使用する容器のノズルを前記注出ノズルに挿入可能とした場合、水平に保持した注出ノズルに前記繰り返し使用する容器のノズルを挿入した後に、注出ノズルが垂直になるように容器を傾けることにより、迅速な詰め替えを可能とした詰替え容器となり、本発明の効果が最大限に発揮される。すなわち、本発明に係る詰替え容器は、１枚の積層体を折り曲げた折り曲げ部の存在によって、注出口が自然に開くので、目的とする容器のノズルを挿入し易く、またノズルに合わせて注出口の寸法を設計することにより、ノズルにぴったり合った注出口とすることができる。このため、水平に保持した注出ノズルに繰り返し使用する容器のノズルを挿入した後に、注出ノズルが垂直になるように傾けることにより、迅速な詰替え操作が可能となる。
【図面の簡単な説明】
【００３７】
【図１】図１は、本発明に係る詰替え容器の一実施態様を示した模式図である。
【図２】図２は、図１のＸ−Ｘ’断面を示した断面模式図である。
【図３】図３（１）は、図１の注出ノズル部分の詳細を示した拡大図である。  図３（２）は、図３（１）において、折り曲げ部とハーフカット線の位置がずれた場合を示した模式図である。
【図４】図４は、易カット加工の傷線とハーフカット線の関係を示した仮想展開図である。
【図５】図５は、従来の詰替え容器の一例を示した模式図である。
【図６】図６は、特許文献５に記載された軟質包装袋とその注出口を示した模式図である。
【発明を実施するための形態】
【００３８】
以下本発明に係る詰替え容器について、図面を参照しながら詳細に説明する。
図１は、本発明に係る詰替え容器の一実施態様を示した模式図である。また図２は、図１のＸ−Ｘ’断面を示した断面模式図である。また図３（１）は、図１の注出ノズル部分の詳細を示した拡大図である。
【００３９】
本発明に係る詰替え容器（１）は、図２に示したように、基材（１１）とシーラント層（１２）を少なくとも有する積層体（１０）からなる詰替え容器であって、図１に示したように、１枚の積層体を、シーラント層を内側にして折り曲げて、折り曲げ部（６）と本体表面積層体（２）と本体裏面積層体（３）を形成し、周縁をシールしてなる詰替え容器である。
【００４０】
折り曲げ部（６）は、表面積層体（２）および裏面積層体（３）および注出ノズルシール部（２４）と共に、内容物を注ぎ出すための注出ノズル（３２）を形成しており、注出ノズル（３２）の先端は注出ノズル先端シール部（２５）によってシールされており、開封予定線（３６）に沿って切り離すことにより注出口（３１）を形成する。
【００４１】
注出ノズル先端シール部（２５）の下部には、注出ノズルシール部（２４）に設けられた開封用切目線（３５）によって分離形成された開封つまみ（３４）が形成されている。この開封つまみ（３４）を持って開封予定線（３６）に沿って切り離すことにより注出口（３１）が形成される。
【００４２】
開封予定線（３６）は、折曲部（６）の稜線に対して傾斜しており、開封予定線上には、開封予定線（３６）に平行な複数の傷線からなる易カット加工（３３）が施されている。開封用切目線（３５）の先端部（３５ａ）は、本実施態様においては、開封予定線（３６）と平行な方向に向かって折れ曲がっている。
【００４３】
図４は、易カット加工（３３）部の傷線とハーフカット線（７）の関係を示した仮想展開図である。このように本体表裏面積層体（２）、（３）に施された複数の傷線の先端同士を結ぶ１本のハーフカット線（７）が、折り曲げ部（６）の稜線に沿って形成されている。
【００４４】
１枚の積層体を折り曲げて折り曲げ部（６）を形成する前にハーフカット線（７）を形成しておくことにより、折り曲げ加工を行う際に、ハーフカット線（７）が折り曲げ位置を誘導するため、本来の正確な位置に折り曲げ部（６）を形成することができる。
【００４５】
また図３（２）に示したように、万一折り曲げ位置がずれた場合であっても、ハーフカット線（７）が存在することにより、開封用切目線（３５）から出発した表裏面の切れ目がハーフカット線（７）で合体するため、注出口が確実に開口する。
【００４６】
図１に示した実施態様においては、注出ノズル（３２）を形成する本体表面積層体（２）および本体裏面積層体（３）の相対する位置に、注出用ノズルの経路に平行して、外側に膨らんだ細長の凸状部（８）を３個づつ設けてある。
【００４７】
凸状部（８）が存在することにより、注出ノズル部における表裏面の積層体同士が付着して流路が閉塞したり、注出ノズル部が折れ曲ったりすることが防げる。
【００４８】
本発明に係る詰替え容器は、折り曲げ部（６）を有することで以下の特長を有する。
折り曲げ部（６）は、１枚の積層体をシーラント層（１２）を内側にして天部で折り曲げて形成したものであり、折り曲げ部（６）は、折り曲げ部の下部に設けた注出ノズルシール部（２４）および本体表面積層体（２）、本体裏面積層体（３）と共に、注出口（３１）に至る内容物の流出路を形成している。折り曲げ部（６）における積層体の戻ろうとする弾性の働きにより、流出路の断面は、常に上部が膨らんだ状態となる。このため、注出口（３１）の断面積を広く確保することが可能となり、一度に大量の内容物を排出することが可能となる。
【００４９】
また本発明に係る詰替え容器における他の特長として、注出ノズルシール部（２４）に設けられた開封用切目線（３５）によって分離形成された開封つまみ（３４）を持って開封予定線（３６）に沿って切り離すことにより注出口（３１）を形成する構造を挙げることができる。開封予定線（３６）は、折曲部（６）に対して傾斜しており、開封予定線上には、開封予定線（３６）に平行な複数の傷線からなる易カット加工（３３）が施されており、開封用切目線（３５）の先端部（３５ａ）は、易カット加工部内に到達しているため、開封用切目線（３５）から出発した切れ目は、易カット加工の傷線に誘導されて確実に開封予定線（３６）に沿って進む。
【００５０】
この時、開封用切目線の先端部（３５ａ）が、開封予定線（３６）と平行な方向に折れ曲っている場合には、この開封時の切れ目の進行は、さらに安定する。
【００５１】
また開封つまみ（３４）が、Ｖ字型の切込等によって形成されていると、注出口シール部と完全に分離しているので、ぶらぶらして不必要に引っ掛かったりする場合があるが、本発明のように切目線によって形成されている場合には、ぶらぶらしたりしないという利点がある。
【００５２】
図１に示した実施態様においては、本体表面積層体（２）と本体裏面積層体（３）は、サイドシール部（２２）とボトムシール部（２３）においてシールされて袋状となっている。また折り曲げ部（６）の一部を切り開いて、内容物充填用開口部（４１）としてある。このように、容器の天部に充填用の開口部が存在すると、内容物の充填操作がやり易くなる利点がある。
【００５３】
図１に示した実施態様においては、折り曲げ部（６）が詰替え容器（１）の上部に水平に配置されているが、詰替え容器の側面に垂直に配置されていてもよい。
【００５４】
なお開封予定線（３６）は、開封位置を示す仮想的な線であるが、開封位置を明らかにするために、実際に印刷表示等を行っても良い。また、易カット加工（３３）は、本体表面積層体（２）および本体裏面積層体（３）の外側面に連続して設けたハーフカット線であることが好ましい。このようにすることにより、開封予定線（３６）の部分を手で引き裂いて注出口（３１）を容易に形成することが可能となる。ハーフカット線は、刃物によって形成する方法と、レーザー加工によって形成する方法が一般に用いられているが、レーザー加工による方法の方が均一で安定した切れ目を形成できるので好ましい。レーザーの種類としては、炭酸ガスレーザーがより好ましい。開封予定線（３６）は、折り曲げ部（６）の稜線に対して垂直ではなく、図１のように斜めにすることにより、注出時の操作性が向上する。
【００５５】
本発明に係る詰替え容器に使用する積層体（１０）としては、通常軟包装袋に使用される積層体を用いることができる。基材（１１）としては、１層ないしは数層からなる紙や金属箔や合成樹脂フィルムを使用する。一例を挙げれば、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、セロハン、三酢酸セルロース（ＴＡＣ）等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン系樹脂（ＰＳ）、ポリ塩化ビニル系樹脂（ＰＶＣ）、ポリ塩化ビニリデン系樹脂（ＰＶＤＣ）、ポリカーボネート樹脂（ＰＣ）、フッ素系樹脂、ウレタン系樹脂等の合成樹脂フィルムおよび紙、金属箔等が単体または、複合して使用される。基材（１１）には、必要に応じて印刷層や接着剤層が含まれる。
【００５６】
紙としては、上質紙、片アート紙、コート紙、キャストコート紙、模造紙などを用いることができる。積層体に紙を用いた場合には、深いエンボス加工により紙に割れが生じることがあるので、本発明に係る詰替え容器に用いる場合は、凸エンボスおよび凹エンボスとして、筋状のエンボスを採用することにより、紙を用いた積層体を安定して使用することができる。環境配慮の点からも、紙を用いることは有効である。
【００５７】
シーラント層（１２）としては、ポリオレフィン系樹脂が一般的に使用され、具体的には、低密度ポリエチレン樹脂、中密度ポリエチレン樹脂、直鎖状低密度ポリエチレン樹脂、エチレン・酢酸ビニル共重合体、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。またこれらの樹脂を複合した多層フィルムが使用されることもある。
【００５８】
積層体の具体的な構成例としては、ＰＥＴ／印刷層／接着剤層／延伸ポリアミド樹脂フィルム（以下ＯＮＹと略す）／接着剤層／ＬＬＤＰＥからなる構成のフィルムや、ＯＮＹ／接着剤層／ＬＬＤＰＥ、ＯＮＹ／接着剤層／ＯＮＹ／接着剤層／ＬＬＤＰＥ、紙／ＬＤＰＥ／アルミニウム箔／ＬＤＰＥ、紙／ＬＤＰＥなどが挙げられる。
【００５９】
図１に示したようなスタンディングパウチ形状の容器は、底テープ（４）が広がるため、大容量の容器とすることが容易に可能である。従って、本発明に係る詰替え容器における注出時間が短くて済むという特徴を十分に生かすことができる。
【００６０】
折り曲げ部６は、１枚の積層体をシーラント層を内側にして天部で折り曲げて、形成さ
れており、折り曲げ部６は表面積層体２および裏面積層体３および注出ノズルシール部２４と共に、注出口に至る内容物の流出路を形成している。このようにすることにより、特に内容物が液体の場合には、内容物を注出する際、内容物が直線状の流出路を円滑に流れるために、迅速な注出を可能とする。この特徴は、この実施態様においては、容器が大容量であるためにより一層効果的なものとなっている。
【００６１】
図１に示した詰替え容器を製造するには、容器の高さに相当する巾のほぼ２倍の巾にスリットした積層体をシーラント層面を内側にして天部で折り曲げて対向させ、本体表面積層体（２）と本体裏面積層体（３）とし、これを連続的に供給し、この間にシーラント層面が外側になるように二つ折りにした底テープ（４）を連続的に供給し、必要なシールを行った後に、打ち抜いて容器とする。
【００６２】
このように、本発明に係る詰替え容器は、特別のプラスチック製の口栓等を使用せずに、大面積の注出口を確保することが可能であり、またこの注出口の大きさは、目的とする繰り返し使用容器の口栓の形状に合わせて自由に設計することができるので、迅速な詰替え操作が可能な専用詰替え容器として極めて価値の高いものである。
以下実施例に基づいて、本発明に係る詰替え容器についてさらに具体的に説明する。
【実施例１】
【００６３】
本体表面積層体および本体裏面積層体として以下の構成からなる積層体を使用した。
＜積層体の構成＞
ＰＥＴ（東レ社製Ｐ６０、１２μｍ）／印刷層／接着剤層（東洋モートン社製ＴＭ２７２、３ｇ／ｍ２（ｄｒｙ））／ＯＮＹ（ユニチカ社製ＯＮＭＢ、１５μｍ）／接着剤層（同上）／ＬＬＤＰＥ（東セロ社製ＴＵＸ−ＦＣＳ、１５０μｍ）
底テープとして以下の構成からなる積層体を使用した。
＜積層体の構成＞
ＯＮＹ（ユニチカ社製ＯＮＭ、２５μｍ）／ＬＬＤＰＥ（同上、１２０μｍ）
【００６４】
上記の積層体を用いて、図１に示した形状のスタンディングパウチを作製した。パウチサイズは、巾１３０ｍｍ、高さ２６０ｍｍ、底折込３５ｍｍとした。開口部の巾は、約１８ｍｍである。
充填用開口部としては、折り曲げ部の一部をカットし、充填用開口部とした。また注出ノズル先端部の注出口となるべき開封予定線上に、レーザー加工による複数のハーフカット線からなる易カット加工を施した。さらに表裏面の複数の傷線の交点を通るように１本のハーフカット線を注出ノズル先端シール部とポイントシール部の位置を避けて設けた。
【００６５】
なおこれら一連のレーザー加工は、積層体を折り曲げて折り曲げ部を形成する以前に実施した。また注出ノズルシール部に開封用切込線を設け、その先端は、開封予定線に平行になるように折り曲げた。
こうして得られた詰替え容器の、開封性を調べたところ、１００％の確率で開封予定線に沿って開封が行われ、注出口が形成されることが分かった。
【符号の説明】
【００６６】
１・・・詰替え容器
２・・・本体表面積層体
３・・・本体裏面積層体
４・・・底テープ
６・・・折り曲げ部
７・・・ハーフカット線
８・・・凸状部
１０・・・積層体
１１・・・基材
１２・・・シーラント層
２１・・・トップシール部
２２・・・サイドシール部
２３・・・ボトムシール部
２４・・・注出ノズルシール部
２５・・・注出ノズル先端シール部
２６・・・ポイントシール部
３１・・・注出口
３２・・・注出ノズル
３３・・・易カット加工
３４・・・開封つまみ
３５・・・開封用切目線
３５ａ・・・開封用切目線先端部
３６・・・開封予定線
ａ・・・切れ目線
ｂ・・・Ｖ字切欠き
ｃ・・・網点状の傷加工
４１・・・内容物充填用開口部
【図２】
0005927861.tif 000002
【図４】
0005927861.tif 000003
【図１】
0005927861.tif 000004
【図３】
0005927861.tif 000005
【図５】
0005927861.tif 000006
【図６】
0005927861.tif 000007